(57)【要約】【課題】  リーフレットを包装する包装材として使用できるとともに、リーフレットを体裁良く陳列するための陳列具としても使用することのできるリーフレットケースを提供する。【解決手段】  リーフレットケースであって、一対の側壁を介して側端同士が接続された一対の壁部を有するとともに一端開口を閉塞した底部を有し、他端開口からリーフレットの出し入れが可能な本体と、一方の壁部の他端に折り曲げ自在に延設され、一方の面側に折り曲げることで他端開口を閉塞可能に構成された第一片部と、第一片部の先端に折り曲げ自在に延設された第二片部と、第二片部の先端に折り曲げ自在に延設された第三片部とを備え、本体は、第一片部を他方の面側に折り返した状態で本体側に折り曲げた第三片部を係止可能に構成され、第三片部を本体に係止させた状態で第二片部が先端側ほど一方の壁部から離間するように構成されている。【選択図】図１
2008173225.tif 000002
【特許請求の範囲】
【請求項１】
複数のリーフレットを収容するリーフレットケースであって、一対の側壁を介して側端同士が接続された一対の壁部を有するとともに、側壁及び壁部の一端で画定される一端開口を閉塞した底部を有し、側壁及び壁部の他端で画定される他端開口からリーフレットの出し入れが可能な本体と、一方の壁部の他端に折り曲げ自在に延設され、一方の面側に折り曲げることで前記他端開口を閉塞可能に構成された第一片部と、該第一片部の先端に折り曲げ自在に延設された第二片部と、該第二片部の先端に折り曲げ自在に延設された第三片部と、を備え、前記本体は、第一片部を他方の面側に折り返した状態で本体側に折り曲げた第三片部を係止可能に構成され、該第三片部を本体に係止させた状態で、第二片部が先端側ほど一方の壁部から離間して本体を一方の壁面側で支持可能になるように構成されていることを特徴とするリーフレットケース。
【請求項２】
前記第二片部は、延出量が壁部の一端から他端までの長さよりも短く設定され、前記第三片部は、第一片部が他端開口を閉塞して第二片部が他方の壁部に重なった状態で、該第二片部とともに他方の壁部に重なる第一領域と、該第一領域に折り曲げ自在に連設され、底部に重なる第二領域と、該第二領域に折り曲げ自在に連設され、一方の壁部に重なる第三領域とを備え、前記本体は、第一片部を他方の面側に折り返した状態で本体側に折り曲げた第三片部の第三領域を係止可能に構成されている請求項１記載のリーフレットケース。
【請求項３】
前記第三片部は、第一片部を他方の面側に折り返して本体側に折り曲げた状態で、第三領域の全体又は先端側の一部が他方の壁部に重なるように折り曲げ可能に構成され、前記本体は、他方の壁部に第三領域の先端部を係止させる切り込みが設けられている請求項２記載のリーフレットケース。
【請求項４】
前記第三領域は、第一片部を一方の面側に折り曲げて第二片部及び第一領域が他方の壁部に重なるとともに、第二領域が底部に重なった状態で、一方の壁部に重なるように折り曲げ可能に構成され、前記本体は、一方の壁部に第三領域の先端部を係止させる切り込みが設けられている請求項２又は３記載のリーフレットケース。
【請求項５】
前記第一片部は、両側端に折り曲げ自在な一対の突片が設けられ、一方の壁部は、第一片部を他方の面側に折り返した状態で、前記突片を係入させるための一対のスリットが両側端部に形成され、前記突片をスリットに係入した状態で第一片部が一方の壁部に沿って第二片部が第一片部との境界から先端に向けて一方の壁部から離間するように構成され、前記突片は、第一片部を一方の面側に折り曲げた状態で他端開口に挿入されるように構成されている請求項１乃至４の何れか１項に記載のリーフレットケース。
【請求項６】
他方の壁部には、本体に収容したリーフレットを露呈させるべく、他端から一端に向けて切り欠かれた表示部が形成されている請求項１乃至５の何れか１項に記載のリーフレットケース。
【請求項７】
前記第二片部は、少なくとも何れか一方の側端部が折り曲げ可能に形成されている請求項１乃至６の何れか１項に記載のリーフレットケース。
【発明の詳細な説明】
【技術分野】
【０００１】
本発明は、複数のリーフレットを収容するためのリーフレットケースに関する。
【背景技術】
【０００２】
従来から、駅や店舗等で各種リーフレットが陳列されている。かかるリーフレットは、複数重ねて陳列されるのが一般的であるが、単に重ねて陳列すると散乱する可能性があり、また、陳列状態の体裁が悪い（視認性に欠ける）ことから、図５に示すようなリーフレット用の陳列具１００を用いて陳列されるのが一般的である。
【０００３】
かかるリーフレット用の陳列具１００は、プラスチック樹脂で成型されたもので、上面から前面にかけてリーフレットＬＦ…を出し入れする開口の形成された箱状の本体１０１と、該本体１０１の背面に延設された支持脚１０２とを備えており、設置したときに本体１０１が上端側ほど後方に向けて傾斜した姿勢になるように構成されている。これにより、上記構成の陳列具１００は、リーフレットＬＦ…の散乱を防止しつつも、収容したリーフレットＬＦ…の内容を視認できる体裁の良い陳列が可能となっている。
【発明の開示】
【発明が解決しようとする課題】
【０００４】
ところで、リーフレットＬＦ…には種々のサイズのものがあるが、上記構成の陳列具１００は、本体１０１のサイズが一定であるため、リーフレットＬＦ…に対応したサイズの本体１０１を有する陳列具１００を保有しなければ、上述のような体裁の良い状態で陳列することができないといった問題がある。また、新規にリーフレットＬＦ…を陳列する場合、その陳列場所に陳列具１００が設置されていないのが通常であり、この場合においても、リーフレットＬＦ…に対応したサイズの本体１０１を有する陳列具１００を保有しなければ、上述のような体裁の良い状態で陳列することができないといった問題がある。
【０００５】
そして、通常、リーフレットは、箱や包み紙等の包装材に所定数量ずつ包装された状態で駅や店舗等にまで運搬されてくるため、該リーフレットを陳列する際に包装材が廃棄されることになる。そのため、包装材は、リーフレットの運搬のみに使用されるだけで、無駄に廃棄されるといった問題がある。
【０００６】
そこで、本発明は、斯かる実情に鑑み、リーフレットを包装する包装材として使用できるとともに、リーフレットを体裁良く陳列するための陳列具としても使用することのできるリーフレットケースを提供することを課題とする。
【課題を解決するための手段】
【０００７】
本発明に係るリーフレットケースは、複数のリーフレットを収容するリーフレットケースであって、一対の側壁を介して側端同士が接続された一対の壁部を有するとともに、側壁及び壁部の一端で画定される一端開口を閉塞した底部を有し、側壁及び壁部の他端で画定される他端開口からリーフレットの出し入れが可能な本体と、一方の壁部の他端に折り曲げ自在に延設され、一方の面側に折り曲げることで前記他端開口を閉塞可能に構成された第一片部と、該第一片部の先端に折り曲げ自在に延設された第二片部と、該第二片部の先端に折り曲げ自在に延設された第三片部と、を備え、前記本体は、第一片部を他方の面側に折り返した状態で本体側に折り曲げた第三片部を係止可能に構成され、該第三片部を本体に係止させた状態で、第二片部が先端側ほど一方の壁部から離間して本体を一方の壁面側で支持可能になるように構成されていることを特徴とする。なお、ここで「リーフレット」とは、枚葉状の印刷物や冊子状の印刷物、折り畳まれた印刷物を意味し、宣伝用のチラシは勿論のこと、申し込みはがきや応募用はがき等を含むものである。
【０００８】
上記構成のリーフレットケースによれば、リーフレットを収容する本体を構成する一方の壁部の他端に折り曲げ自在に延設され、一方の面側に折り曲げることで前記他端開口を閉塞可能に構成された第一片部と、該第一片部の先端に折り曲げ自在に延設された第二片部と、該第二片部の先端に折り曲げ自在に延設された第三片部とを備えているので、第一片部を一方の面側に折り曲げて本体の他端開口を閉塞し、第二片部及び第三片部を本体（少なくとも他方の壁部）に沿わせれば、本体の両端を閉塞してリーフレットを包装した状態にすることができる。
【０００９】
さらに、上記構成のリーフレットケースは、前記本体が、第一片部を他方の面側に折り返した状態で本体側に折り曲げた第三片部を係止可能に構成され、該第三片部を本体に係止させた状態で、第二片部が先端側ほど一方の壁部から離間して本体を一方の壁面側で支持可能に構成されているので、第一片部を他方の面側に折り返した状態で第三片部を本体に係止させると、第二片部が本体の背面（一方の壁部）側を支持する支持脚として機能する。これにより、本体の他端開口を開放してリーフレットを出し入れ可能にした上で、第二片部が本体の背面（一方の壁部）側を支持し、該他端開口を上側にして本体を起立状態にして陳列することができる。
【００１０】
本発明の一態様として、前記第二片部は、延出量が壁部の一端から他端までの長さよりも短く設定され、前記第三片部は、第一片部が他端開口を閉塞して第二片部が他方の壁部に重なった状態で、該第二片部とともに他方の壁部に重なる第一領域と、該第一領域に折り曲げ自在に連設され、底部に重なる第二領域と、第二領域に折り曲げ自在に連設され、一方の壁部に重なる第三領域とを備え、前記本体は、第一片部を他方の面側に折り返した状態で本体側に折り曲げた第三片部の第三領域を係止可能に構成されていることが好ましい。
【００１１】
このようにすれば、第一片部で本体の他端開口を閉塞してリーフレットを包装する際、第二片部及び第三片部が本体の壁部及び底部に沿った状態、すなわち、当該リーフレットケースを完全な箱状にすることができる。そして、リーフレットを陳列するに際し、第三領域を本体に係止させることで、第三片部の第一領域及び第二領域が、第二片部の先端を一方の壁部から離間させた状態で維持させることになる。これにより、第二片部が本体を安定して支持することになる。
【００１２】
この場合、前記第三片部は、第一片部を他方の面側に折り返して本体側に折り曲げた状態で、第三領域の全体又は先端側の一部が他方の壁部に重なるように折り曲げ可能に構成され、前記本体は、他方の壁部に第三領域の先端部を係止させる切り込みが設けられていることが好ましい。このようにすれば、リーフレットを陳列するに際し、第三片部の第三領域を他方の壁部の切り込みに差し込むだけで、該第三片部を本体に係止させることができる。
【００１３】
また、前記第三領域は、第一片部を一方の面側に折り曲げて第二片部及び第一領域が他方の壁部に重なるとともに、第二領域が底部に重なった状態で、一方の壁部に重なるように折り曲げ可能に構成され、前記本体は、一方の壁部に第三領域の先端部を係止させる切り込みが設けられていることが好ましい。このようにすれば、リーフレットを包装するに際し、第三片部の第三領域を一方の壁部の切り込みに差し込むだけで、該第三片部を本体に係止させることができ、上述のようにリーフレットケースを完全な箱状で維持させることができる。
【００１４】
そして、本発明の他態様として、前記第一片部は、両側端に折り曲げ自在な一対の突片が設けられ、一方の壁部は、第一片部を他方の面側に折り返した状態で、前記突片を係入させるための一対のスリットが両側端部に形成され、前記突片をスリットに係入した状態で第一片部が一方の壁部に沿って第二片部が第一片部との境界から先端に向けて一方の壁部から離間するように構成され、前記突片は、第一片部を一方の面側に折り曲げた状態で他端開口に挿入されるように構成されていることが好ましい。
【００１５】
このようにすれば、リーフレットを包装した状態（第一片部で本体の他端開口を閉塞した状態）で、一対の突片が収容したリーフレットと側壁との間に入り込み、本体内への塵や埃等が入り込んでしまうのを防止することができる。これに対し、リーフレットを陳列するに際して、第一片部を他方の面側に折り返した状態で、前記突片をスリットに係入すると、第一片部が一方の壁部に沿った状態で維持し、この第一片部に延設された第二片部のみが先端側に向けて一方の壁部に対して傾斜（離間）した状態になる。従って、本体を支持する支持脚の途中に折り曲げ自在な部分がなくなり、第二片部で本体を確実に支持することができる。
【００１６】
そして、他方の壁部には、本体に収容したリーフレットを露呈させるべく、他端から一端に向けて切り欠かれた表示部が形成されていることが好ましい。このようにすれば、本体に収容したリーフレットの内容を表示部から視認できる。
【００１７】
そして、前記第二片部は、少なくとも何れか一方の側端部が折り曲げ可能に形成されていることが好ましい。このようにすれば、リーフレットの陳列時、すなわち、第二片部が支持脚として機能するときに、第二片部の側端部を折り曲げることで、該側端部が他の部分に対して交差方向に突出したリブのように機能する結果、第二片部を剛性の高めた支持脚とすることができ、本体をより安定して支持することができる。
【発明の効果】
【００１８】
以上のように、本発明に係るリーフレットケースによれば、リーフレットを包装する包装材として使用できるとともに、リーフレットを体裁良く陳列するための陳列具としても使用することができるという優れた効果を奏し得る。
【発明を実施するための最良の形態】
【００１９】
以下、本発明の一実施形態に係るリーフレットケースについて、添付図面を参照しつつ説明する。なお、図１（ａ）は、本実施形態に係るリーフレットケースの斜視図であり、図１（ｂ）は、図１（ａ）に示したリーフレットケースを反対側から見た斜視図である。そして、図２（ａ）は、本実施形態に係るリーフレットケースの正面図であり、図２（ｂ）は、本実施形態に係るリーフレットケースの背面図であり、図２（ｃ）は、本実施形態に係るリーフレットケースの側面図である。図３は、本実施形態に係るリーフレットケースを用いてリーフレットを陳列した状態の斜視図である。
【００２０】
本実施形態に係るリーフレットケース１は、複数のリーフレットを収容するもので、所定形状に裁断された厚紙を曲げ加工して形成されている。なお、ここで「リーフレット」とは、枚葉状の印刷物や冊子状の印刷物、折り畳まれた印刷物を意味し、商品やキャンペーン等の宣伝用のチラシや、申し込み或いは応募用の各種はがき等が含まれる。
【００２１】
本実施形態に係るリーフレットケース１は、図１及び図２に示す如く、一対の側壁１１ａ，１１ｂを介して側端同士が接続された一対の壁部１２ａ，１２ｂを有するとともに、側壁１１ａ，１１ｂ及び壁部１２ａ，１２ｂの一端で画定される一端開口を閉塞した底部１３を有し、側壁１１ａ，１１ｂ及び壁部１２ａ，１２ｂの他端で画定される他端開口からリーフレットＬＦ…の出し入れが可能な本体１０と、一方の壁部１２ａの他端に折り曲げ自在に延設され、一方の面側に折り曲げることで前記他端開口を閉塞可能に構成された第一片部２０と、該第一片部２０の先端に折り曲げ自在に延設された第二片部３０と、該第二片部３０の先端に折り曲げ自在に延設された第三片部４０とを備えている。なお、本実施形態において、一方の面側とは、本体１０の内面となる一方の壁部１２ａの一方の面に連続する面側を意味し、他方の面側とは、本体１０の外面となる一方の壁部１２ａの他方の面に連続する面側を意味する。
【００２２】
前記本体１０は、上述の如く、一対の側壁１１ａ，１１ｂ、一対の壁部１２ａ，１２ｂ、及び底部１３によって有底角筒状に形成され、その他端開口からリーフレットＬＦ…を出し入れできるようになっている。該本体５は、一対の壁部１２ａ，１２ｂの間隔が壁部１２ａの一端から他端までの長さの半分以下に設定されており、両端開口が横長な長方形状をなしている。前記一対の側壁１１ａ，１１ｂは、一対の壁部１２ａ，１２ｂの側端同士を接続し、該一対の壁部１２ａ，１２ｂの間隔を一定間隔で維持させるようになっている。
【００２３】
前記一対の壁部１２ａ，１２ｂのうち、一方の壁部１２ａは、略長方形状に形成される一方、他方の壁部１２ｂは、外形が一方の壁部１２ａと同一に設定され、長手方向の他端から一端側に大きく切り欠かれ、その切り欠きによって収容したリーフレットＬＦ…を露呈させる表示部１４が形成されている。これにより、表示部１４（切り欠き）は、他端開口に連続して形成されている。すなわち、該本体１０は、他端部から他方の壁部１２ｂの途中位置にかけて開放されており、収容したリーフレットＬＦ…の出し入れを容易にするとともに、該リーフレットＬＦ…に記載された内容を表示部１４から露呈させるように形成されている。なお、本実施形態に係る本体１０は、壁部１２ａ，１２ｂの長手方向と直交する短手方向の両端（両側端）同士が側壁１１ａ，１１ｂを介して接続されるとともに、長手方向の一端側の開口（前記一端開口）が前記底部１３によって閉塞されている。すなわち、本実施形態に係るリーフレットケース１は、後述する陳列状態（図３参照）において、長手方向の一端側が下方側に位置して本体１０が縦長になるようになっている。
【００２４】
前記本体１０は、第一片部２０を他方の面側に折り返した状態で本体１０側に折り曲げた第三片部４０を係止可能に構成されている。また、本実施形態において、該本体１０は、第一片部２０を一方の面側に折り曲げ、第二片部３０を他方の壁部１２ｂに沿わせた状態で、該第二片部３０に延設された第三片部４０を係止可能にも構成されている。
【００２５】
具体的に説明すると、該本体１０の一方の壁部１２ａには、一端側から第三片部４０の先端部を係入させるための切り込み１５，１５が設けられている。すなわち、第一片部２０を一方の面側に折り曲げるとともに、これに連続する第二片部３０も同方向に折り曲げた状態で、他方の壁部１２ｂの一端側から一方の壁部１２ａ側に巻き込まれた（曲げられた）第三片部４０（本実施形態では後述する第三領域）の先端両角部を係入させる一対の切り込み１５，１５が一方の壁部１２ａに設けられている。
【００２６】
また、該本体１０の他方の壁部１２ｂには、一端側から第三片部４０の先端両角部を係入させるための一対の切り込み１６，１６が設けられている。すなわち、第一片部２０を他方の面（包装時に外面となる面）側に折り返した状態で、一方の壁部１２ａの一端側から他方の壁部１２ｂ側に巻き込まれた（曲げられた）第三片部４０（本実施形態では後述する第三領域）の先端両角部を係入させる一対の切り込み１６，１６が他方の壁部１２ｂに設けられている。
【００２７】
また、本実施形態に係る本体１０は、一方の壁部１２ａの他端側の両側端部に後述する突片２１，２１を係入させるためのスリット１７，１７が設けられている。
【００２８】
本実施形態に係るリーフレットケース１は、未使用時に本体１０を偏平状にできるようになっている。これに伴い、図示しないが、本実施形態に係る底部１３は、一方の側壁１１ａの一端及び一方の壁部１２ａの一端に連続して接続された第一底片と、他方の側壁１１ｂの一端及び他方の壁部１２ｂの一端に連続して接続された第二底片とで構成されており、一対の側壁１１ａ，１１ｂ及び一対の壁部１２ａ，１２ｂが角筒状になったときに第一底片と第二底片とが係合して一端開口を閉塞する一方、角筒状をなす一対の側壁１１ａ，１１ｂ及び一対の壁部１２ａ，１２ｂを偏平状にしたときに、第一底片と第二底片との係合が解かれるようになっている。
【００２９】
前記第一片部２０は、本体１０の他端開口の形状及びサイズに対応するように形成されている。本実施形態に係る第一片部２０は、壁部１２ａからの延出量が壁部１２ａの一端から他端までの長さ（本実施形態においては長手方向の長さ）の半分以下に設定され、他端開口に対応して長方形状に形成されている。そして、該第一片部２０は、長手方向（リーフレットケース１の幅方向）と直交する短手方向の一端が一方の壁部１２ａの他端に接続され、一方の壁部１２ａと第一片部２０との境界には、折曲線（以下、第一折曲線という）Ｌ１が設けられている。
【００３０】
これにより、第一片部２０は、第一折曲線Ｌ１で一方の面側及び他方の面側に折り曲げ自在になっている。また、本実施形態に係る第一片部２０の長手方向の両端（両側端）には、突片２１，２１が延設されている。第一片部２０と突片２１，２１との境界には、折曲線（以下、第二折曲線という）Ｌ２が設けられており、突片２１，２１は、第一片部２０の一方の面側及び他方の面側の両方に延出した態様になるように、第二折曲線Ｌ２で折り曲げ自在になっている。
【００３１】
第一折曲線Ｌ１、第二折曲線Ｌ２、及び後述する各折曲線Ｌ３〜Ｌ８は、線状のプレス溝や、ライン状のハーフカット、ミシン目等で構成されている。すなわち、各折曲線Ｌ１〜Ｌ８は、線状の領域の強度を局部的に低下させるように形成されており、連設された各片部２０，３０，４０…がその線状の領域で曲げられるようになっている。なお、図１及び図２において、各折曲線Ｌ１〜Ｌ８を一点鎖線で示している。
【００３２】
前記第二片部３０は、第一片部２０と同一幅に形成されおり、該幅方向が短手となる長方形状に形成されている。該第二片部３０は、延出量（長手方向の長さ）が壁部１２ａ，１２ｂの長手方向の長さ（壁部１２ａ，１２ｂの一端から他端までの長さ）よりも短く設定されている。より具体的に説明すると、該第二片部３０は、第一片部２０との合計延出量が一方の壁部１２ａの一端から他端までの長さ以下になるように第一片部２０からの延出量が設定されている。
【００３３】
該第二片部３０は、幅方向の両側端部が折り曲げ可能に構成されている。具体的には、該第二片部３０は、長手方向の一端の角部から他端の角部に向けて内側に突出した円弧状の折曲線（以下、第三折曲線という）Ｌ３が形成されている。本実施形態においては、上述の如く、第二片部３０の両側端部を折り曲げ可能に形成すべく、短手方向の一端側、及び他端側に一対の第三折曲線Ｌ３が対称的に形成されている。
【００３４】
そして、第一片部２０と第二片部３０との境界には、折曲線（以下、第四折曲線という）Ｌ４が設けられており、第二片部３０は、第四折曲線Ｌ４で一方の面側及び他方の面側に折り曲げ自在になっている。
【００３５】
前記第三片部４０は、第一片部２０と同一幅に形成されおり、該幅方向が短手となる長方形状に形成されている。そして、第二片部３０と第三片部４０との境界には、折曲線（以下、第五折曲線という）Ｌ５が設けられており、第三片部４０は、第五折曲線Ｌ５で一方の面側及び他方の面側に折り曲げ自在になっている。
【００３６】
本実施形態に係る該第三片部４０は、第一片部２０が他端開口を閉塞して第二片部３０が他方の壁部１２ｂに重なった状態で、該第二片部３０とともに他方の壁部１２ｂに重なる第一領域４１と、該第一領域４１に折り曲げ自在に連設され、底部１３に重なる第二領域４２と、第二領域４２に折り曲げ自在に連設され、一方の壁部１２ａに重なる第三領域４３とを備えている。すなわち、本実施形態に係る第三片部４０は、長手方向で基端側から第一領域４１、第二領域４２、第三領域４３の順に形成されている。
【００３７】
そして、第一領域４１及び第二領域４２は、該第三片部４０の幅方向が長手となる長方形状に形成されている。本実施形態において、第一領域４１及び第二領域４２は、略同一形状及び同一サイズに設定されている。そして、底部１３に重なる第二領域４２は、該底部１３（本体１０の一端開口）に対応するサイズ及び形状に設定されている。従って、本実施形態において、第一領域４１についても、底部１３に対応するサイズ及び形状に設定されているところ、第二片部３０の長手方向の長さは、壁部１２ａ，１２ｂの長手方向の寸法から底部１３の短手方向の寸法を差し引いた長さに設定されている。
【００３８】
そして、第一領域４１と第二領域４２との境界には、折曲線（以下、第六折曲線という）Ｌ６が設けられており、第二領域４２は、第六折曲線Ｌ６で一方の面側及び他方の面側に折り曲げ自在になっている。また、第二領域４２と第三領域４３との境界にも、折曲線（以下、第七折曲線という）Ｌ７が設けられており、第三領域４３は、第七折曲線Ｌ７で一方の面側及び他方の面側に折り曲げ自在になっている。
【００３９】
そして、第三片部４０は、第一片部２０を他方の面側に折り曲げて該第三片部４０を本体１０側に折り曲げた状態で、第三領域４３の全体又は先端側の一部が他方の壁部１２ｂに重なるように折り曲げ可能に構成されている。本実施形態において、前記第三領域４３は、第二領域４２側の基端領域４３ａと、該基端領域４３ａの先端に連設された先端領域４３ｂとで構成されており、基端領域４３ａと先端領域４３ｂとの境界にも、折曲線（以下、第八折曲線という）Ｌ８が設けられている。これにより、先端領域４３ｂは、第八折曲線Ｌ８で一方の面側及び他方の面側に折り曲げ自在になっている。
【００４０】
上記構成のリーフレットケース１は、本体１０の他端開口から複数のリーフレットＬＦ…を重ねた状態で収容し、一対の突片２１，２１を一方の面側に折り曲げ、該一対の突片２１，２１を本体１０の他端開口内に挿入して第一片部２０を第一折曲線Ｌ１で一方の面側に折り曲げる。さらに、第二片部３０を第三折曲線Ｌ３で折り曲げ、該第二片部３０及び第三片部４０の一部（第一領域４１）を他方の壁部１２ｂに沿わせた上で、第三片部４０を第六折曲線Ｌ６、及び第七折曲線Ｌ７で折り曲げ、第二領域４２を底部１３に沿わせるとともに、第三領域４３を一方の壁部１２ａに沿わせる。そして、該第三領域４３の先端部（先端領域４３ｂ）の両側角部を一方の壁部１２ａの切り込み１５，１５に係入させる。このようにすることで、本体１０にリーフレットＬＦ…を収容した状態で、他端開口及び表示部１４を閉じるように第一乃至第三片部２０，３０，４０で本体１０を包み込んだ状態となり、複数のリーフレットＬＦ…を包装することができる。
【００４１】
これに対し、収容したリーフレットＬＦ…を陳列する場合には、図３に示す如く、第三片部４０の先端を一方の壁部１２ａの切り込み１５，１５から抜き、第一片部２０を第一折曲線Ｌ１で他方の面側に折り返す。すなわち、第一片部２０を一方の壁部１２ａに重なり合うように折り返す。この際、該第一片部２０の側端に延設された一対の突片２１，２１を反対側に折り曲げておき、一方の壁部１２ａに形成されたスリット１７，１７に係入させ、第一片部２０を一方の壁部１２ａに沿った状態にする。そして、第二片部３０を第三折曲線Ｌ３で一方の面側に折り曲げるとともに、第三片部４０を第五折曲線Ｌ５で他方の面側（本体１０側）に折り曲げる。
【００４２】
そして、第三片部４０の先端側の一部、すなわち、先端領域４３ｂを第八折曲線Ｌ８で他方の面側に折り曲げ、他方の壁部１２ｂを一端側から巻き込むようにして該壁部１２ａ，１２ｂに沿わせ、該第三領域４３の先端部（先端領域４３ｂ）の両側角部を他方の壁部１２ｂの切り込み１６，１６に係入させる。そして、第二片部３０の両側端部を第三折曲線Ｌ３で折り曲げてリブを形成する。
【００４３】
このようにすることで、本体１０の表示部１４及び他端開口が露呈して、表示部１４を介してリーフレットＬＦを前面から視認でき、且つ、他端開口からリーフレットＬＦ…を出し入れできる状態になる。また、第二片部３０が基端側（リーフレットケース１における上端側）から先端（リーフレットケース１における下端側）に向けて、対向する一方の壁部１２ａに対して離間し、該第二片部３０が本体１０の背面（一方の壁部１２ａ）側を支持できる状態、すなわち、本体１０を上端側ほど後方に傾斜した態様で支持することができる状態にもなる。
【００４４】
該リーフレットケース１は、第一片部２０の延出量（一対の壁部１２ａ，１２ｂの間隔）が壁部１２ａの一端から他端までの長さの半分以下になっているため、上述の如く、折り返した第一片部２０の先端に延設された第二片部３０の基端が、リーフレットＬＦを収容した本体１０の重心位置よりも上方に位置する。これにより、上述の如く、本体１０が傾斜した姿勢になるように第二片部３０で支持されても、後方側に転倒してしまうことが防止される。
【００４５】
そして、本実施形態に係るリーフレットケース１は、第三片部４０の先端領域（先端側の一部）４３ｂのみを他方の壁部１２ｂに沿わせるようにしているため、第三領域４３の残りの一部（基端領域４３ａ）が第二片部３０の先端側を壁部１２ａから離間させる（離間距離を長くする）ように機能し、その分、第二片部３０の傾斜角度が大きくなる。これにより、本体１０を上端側ほど後方に傾斜した態様で安定して支持できる。
【００４６】
そして、第二片部３０の両側部を折り曲げてリブを形成しているので、第二片部３０は、収容したリーフレットＬＦ…の荷重で座屈することなく確実に本体１０を支持することになる。
【００４７】
以上のように、本実施形態に係るリーフレットケース１は、リーフレットＬＦ…を包装する包装材として使用できるとともに、廃棄することなくリーフレットＬＦ…を体裁良く陳列するための陳列具としても使用することができるという優れた効果を奏し得る。
【００４８】
尚、本発明のリーフレットケースは、上記実施形態に限定されるものではなく、本発明の要旨を逸脱しない範囲内において種々変更を加え得ることは勿論である。
【００４９】
上記実施形態において、陳列時に本体１０が縦長になるリーフレットケース１について説明したが、これに限定されるものではなく、例えば、図４（ａ）に示す如く、本体１０の縦横比が略同一、すなわち、壁部１２ａ，１２ｂの外形が略正方形をなすように本体１０を構成したものや、図４（ｂ）に示す如く、本体１０の縦横比が横の方が大きいもの、すなわち、壁部１２ａ，１２ｂの外形が長方形であって長手が幅方向に設定されたもの等であってもよい。この場合においても、上記実施形態と同様に、第一片部２０、第二片部３０、及び第三片部４０の延出量を本体１０のサイズを考慮して設定することで、上記実施形態と同様に、リーフレットＬＦ…を包装可能としつつも該リーフレットＬＦ…を陳列可能な構成となる。
【００５０】
上記実施形態において、第三片部４０を先端領域４３ｂと基端領域４３ａとで構成し、陳列時において先端領域４３ｂを他方の壁部１２ｂに沿わせ、該壁部１２ｂに係止させるようにしたが、これに限定されるものではなく、例えば、陳列時において第三片部４０全体を他方の壁部１２ｂに沿わせて該壁部１２ｂに係止させるようにしてもよい。すなわち、リーフレットＬＦ…を収容した状態での重心バランスに応じて第二片部３０の先端側を壁部１２ａ，１２ｂから離間させる必要があるため、第二片部３０と壁部１２ａとの間隔を大きくする必要がある場合には、第三片部４０の基端側の一部を、第二片部３０を一方の壁部１２ａから離間させるように機能させればよい。
【００５１】
上記実施形態において、リーフレットＬＦ…の陳列時に第三片部４０（全部又は一部）を他方の壁部１２ｂに沿わせ、該壁部１２ｂに係止させるようにしたが、これに限定されるものではなく、例えば、底部１３、又は、一方の壁部１２ａの一端部（下端部）に切り込みを設け、第三片部４０の先端を該切り込みに係入させるようにしてもよい。このようにしても、第三片部４０の存在で、第二片部３０の下端側が一方の壁部１２ａから離間することになるので、本体１０を安定して支持することができる。
【００５２】
上記実施形態において、他方の壁部１２ｂの他端側に切り欠きからなる表示部１４を設けるようにしたが、これに限定されるものではなく、例えば、他方の壁部１２ｂを一方の壁部１２ａと同様の構成とし、本体１０を完全な有底角筒状に形成したり、或いは、図５に示した従来の陳列具の本体１０１のように、他方の壁部１２ｂを一方の壁部１２ａよりも短く構成したりしてもよい。
【００５３】
上記実施形態において、第一片部２０の両側端に突片２１，２１を設けるとともに、一方の壁部１２ａに突片２１，２１を係入するスリット１７，１７を設けるようにしたが、これに限定されるものではなく、例えば、突片２１，２１及びスリット１７，１７を設けることなく、陳列時に第一片部２０を一方の壁部１２ａに沿わせるように単に折り返すようにしてもよい。但し、一方の壁部１２ａに沿った姿勢で第一片部２０を確実に維持させるには、上記実施形態と同様に構成することが好ましいことは言うまでもない。
【００５４】
上記実施形態において、第二片部３０の両側端部を折り曲げ可能に構成し、陳列時に第二片部３０が支持脚として機能させる際にリブを形成できるようにしたが、これに限定されるものではなく、第二片部３０が支持脚として機能するに際して強度が不足する場合に第二片部３０の両側部を折り曲げ可能に構成すればよい。但し、第二片部３０の剛性を高めて本体１０を安定して支持するには、上記実施形態と同様にすることが好ましい。
【００５５】
また、第二片部３０の側端部を折り曲げ可能に構成する場合、両側端部を折り曲げ可能に構成したものに限定されず、何れか一方の側端部を折り曲げ可能に構成してもよい。但し、第二片部３０の両側端部を折り曲げる方が第二片部３０の強度が高くなるので、第二片部３０の両側端部を折り曲げ可能にすることが好ましいことは言うまでもない。
【００５６】
上記実施形態において、本体１０の底部１３を互いに係合可能な第一底片と第二底片とで構成したが、これに限定されるものではなく、例えば、一方の壁部１２ａ又は他方の壁部１２ｂの一端に一端開口（角形の開口）に対応した底片を延設するとともに、その底片の先端に折曲片を延設し、該折曲片を本体１０内部に差し込むことで、底片が一端開口を閉塞する一般的な構成であっても勿論よい。この場合、各側壁１１ａ，１１ｂの一端に舌片を延設し、該舌片を本体１０内部側に折り曲げて底片で開口を閉塞するようにすることが好ましい。但し、底部１３が抜けてしまう（一端開口が開放されてしまう）のを確実に防止するには、上記実施形態と同様に、互いに係合可能な第一底片と第二底片とで底部１３を構成することが好ましい。
【００５７】
上記実施形態において、リーフレットケース１を厚紙で構成したが、これに限定されるものではなく、例えば、薄手のプラスチックシート（樹脂シート）を曲げ加工して作成するようにしてもよい。すなわち、折り曲げ加工が可能なシート材で作成されればよい。
【図面の簡単な説明】
【００５８】
【図１】本発明の一実施形態に係るリーフレットケースの斜視図であって、（ａ）は、一方の壁部及び一方の側壁側から見た斜視図を示し、（ｂ）は、他方の壁部及び他方の側壁側から見た斜視図を示す。
【図２】同実施形態に係るリーフレットケースの説明図であって、（ａ）は、第一片部、第二片部、及び第三片部を真っ直ぐ延ばした（他端開口を開いた）状態の正面図を示し、（ｂ）は、第一片部、第二片部、及び第三片部を真っ直ぐ延ばした（他端開口を開いた）状態の背面図を示し、（ｃ）は、第一片部、第二片部、及び第三片部を真っ直ぐ延ばした（他端開口を開いた）状態の側面図を示す。
【図３】同実施形態に係るリーフレットケースの斜視図であって、リーフレットを陳列した状態を示す。
【図４】本発明の他実施形態に係るリーフレットケースでリーフレットを陳列した状態の斜視図であって、（ａ）は、本体の壁部が略正方形状に形成されたリーフレットケースの斜視図を示し、（ｂ）は、本体の壁部が横長の長方形状に形成されたリーフレットケースの斜視図を示す。
【図５】従来のリーフレットケースの斜視図を示す。
【符号の説明】
【００５９】
１…リーフレットケース、１０…本体、１１ａ，１１ｂ…側壁、１２ａ，１２ｂ…壁部、１３…底部、１４…表示部、１５，１６…切り込み、１７…スリット、２０…第一片部、２１…突片、３０…第二片部、４０…第三片部、４１…第一領域、４２…第二領域、４３…第三領域、４３ａ…基端領域、４３ｂ…先端領域、Ｌ１…第一折曲線、Ｌ２…第二折曲線、Ｌ３…第三折曲線、Ｌ４…第四折曲線、Ｌ５…第五折曲線、Ｌ６…第六折曲線、Ｌ７…第七折曲線、Ｌ８…第八折曲線、ＬＦ…リーフレット
【図１】
2008173225.tif 000003
【図２】
2008173225.tif 000004
【図３】
2008173225.tif 000005
【図４】
2008173225.tif 000006
【図５】
2008173225.tif 000007